(57)【特許請求の範囲】
【請求項１】
ケーシング（１０）と、
所定の表面（Ｓｄ）と接触する少なくとも２つのホイール（１１、１２）と
ケーシングの少なくとも一部（１０'）が上記２つのホイールの間にくる状態で、上記表面（Ｓｄ）に対して実質的に平行な第１軸線（１５）に沿って配置される一つのシャフト軸（１４）上に上記２つのホイールをケーシングに対して回転自在な状態で取り付けるための手段と、
２つのホイール（１１、１２）のそれぞれが通る２つの面に平行な第１面中に含まれるように、第１軸線（１５）に対して実質的に直交する第２軸線（２１）に沿って配置され、上記２つの面の間に位置するように、ケーシング（１０）と共同運動するように取り付けられ、ケーシングの第１面（４０６）を通ってケーシング（１０）から突き出るピボット軸（２０）と、
ケーシングに対して２つのホイール（１１、１２）をロック−ロック解除する手段（moyens de blocage-deblocage）と、
を有し、
上記のロック−ロック解除手段は、
ａ）ケーシングの上記一部（１０'）の方を向いたホイール（１１、１２）の２つの面（３０５、３０６）の少なくとも一つに形成された少なくとも一つの雌型ノッチ（３０１、３０２、３０３・・・）の組立体と、
ｂ）ケーシング（１０）に運動自在に取付けられたレバー（３１０）と、
ｃ）雌型ノッチ組立体と噛み合う少なくとも一つの雄型ラグ（３２１、３２２）と、
ｄ）上記雄型ラグを上記レバー（３１０）に固定する手段（３３３）と、
を有し、
ｅ）上記レバー（３１０）は、雄型ラグ（３２１、３２２）が雌型ノッチ（３０１、３０２、３０３・・・）と噛み合わない第１位置と、上記雄型ラグ（３２１、３２２）が雌型ノッチの少なくとも一つと噛み合う第２位置の少なくとも２つの位置を占めることができるように、ケーシング（１０）に運動自在に取り付かれており、
上記のロック−ロック解除手段はさらに、
ｆ）上記レバー（３１０）を上記第２位置へ常に付勢する弾性手段（３３０）と、
ｇ）引張りリンク（３４０）と、
ｈ）上記レバーを上記第２位置から第１位置へ変えるための引張りリンク（３４０）の第１端（３４１）を前記レバー（３１０）に連結する手段（３５０）と、
を有するロック可能なキャスターにおいて、
下記の（Ａ）と（Ｂ）を特徴とするキャスター：
（Ａ）上記中空部（４００）がケーシング（１０）の上記部分（１０'）に作られており、この中空部は実質的に円柱形の側面（４０３）と、ピボット軸（２０）が突き出ている第１表面（４０６）とは反対側にあるケーシングの上記部分（１０'）の第２面（４０２）に形成された開口部（４０１）とを有し、上記中空部（４００）は、上記シャフト（１４）が上記中空部を貫通して伸びるように、ケーシングの上記部分（１０'）に形成され、
（Ｂ）上記レバーは前方表面（５０１）と、後方表面（５０２）と、側面（５０３）とを有する引き出し部材 （５００）によって構成され、レバーの上記側面（５０３）は、第１軸線（１５）に平行で且つ第２軸線（２１）に直角な面内に規定された中空部（４００）の側面（４０３）の横断面と実質的に反対形状の横断面を有し、引き出し部材 は中空部（４００）中を上記第１位置と第２位置との間で第１軸線（１５）に直角な方向に沿って平行移動し、引き出し部材 の後方表面（５０２）は中空部（４００）の内側の面（４０４）に面した面である。
【請求項２】
引き出し部材 （５００）の後方表面（５０２）と一体な２つのレグ（６０１、６０２）を有し、これらの２つのレグは第１軸線（１５）と第２軸線（２１）と平行な面内に位置しており、上記シャフト軸（１４）の直径に少なくとも等しい距離だけ互いに離れており、これらのレグは、引き出し部材 が上記第１位置と第２位置を含むこれらの位置の間にある時にシャフト軸（１４）が２つのレグの間にくるように、引き出し部材 の後方表面（５０２）に配置されていることを特徴とする請求項１に記載のキャスター。
【請求項３】
２つのレグ（６０１、６０２）の少なくとも１つが他方のレグの方を向いた後退自在な湾曲部（６１１、６１２）を有し、湾曲部の自由端と他方のレグの自由端との間の距離がシャフト軸（１４）の直径以下であることを特徴とする請求項２に記載のキャスター。
【請求項４】
２つのレグの各々が他方のレグの方を向いた後退自在な湾曲部（６１１、６１２）を有し、これらの２つの湾曲部の自由端の間の距離がシャフト軸（１４）の直径以下であることを特徴とする請求項２に記載のキャスター。
【請求項５】
上記中空部（４００）に少なくとも一つのリブ（６３０、６３１）が形成されており、このリブは、引き出し部材 （５００）が第２位置から第１位置へ運動する時に、上記リブとシャフト（１４）との間で、２つのレグ（６０１、６０２）の少なくとも１つが上記リブ（６３０、６３１）上を摺動するように設けられていて、上記リブがシャフト軸（１４）と実質的に常に接触を維持することを特徴とする請求項３または請求項４に記載のキャスター。
【請求項６】
上記レバー（３１０）を第２位置の方へ常に付勢する弾性手段（３３０）が、引き出し部材 （５００）の後方表面（５０２）とシャフト軸（１４）との間に取り付けられた圧縮コイルで構成されていることを特徴とする請求項１〜５のいずれか一項に記載のキャスター。
【請求項７】
引張りリンク（３４０）の第1端（３４１）を上記レバー（３１０）に接続する手段（３５０）が下記（ａ）〜（ｃ）を含むことを特徴とする請求項１〜６のいずれか一項に記載のキャスター：
（ａ）ケーシングと対向し、第２軸線（２１）が通る引き出し部材（５００）と一体で且つ引き出し部材（５００）から突き出たプレート部分（７００）
（ｂ）上記プレート部分（７００）に形成された第２軸線（２１）と実質的に同心で、上記リンク（３４０）の断面と少なくとも等しい断面を有し、リンクの第１端（３４１）が貫通する貫通孔（７０１）、
（ｃ）上記貫通孔の横断より大きな断面を有し、上記リンク（３４０）の第１端（３４１）に固定された、ケーシング（１０）に対向した側とは反対側の貫通孔（７０１）の端縁と当接して位置したヘッド肩部（３６０）。
【発明の詳細な説明】
【技術分野】
【０００１】
本発明は基本的に２つのホイールと、このホイールを支持し、必要な場合にはそれを保護するためのケーシングと、このケーシングと家具との間を確実にリンクさせるピボット軸とを有する、家具型の任意物品の移動を容易にするためのキャスターに関するものである。
【背景技術】
【０００２】
この種のキャスターは病院設備、例えば移動テーブル、車椅子、カート、歩行フレーム（deambulateurs）や家具、更にはスーツケース等の移動を容易にする多くの用途で有利に使用されている。
【０００３】
従って、この種のキャスターは家具等を任意の方向に容易に動かせるような構造に設計されていなければならない。そのため、キャスターは一般に平行な２つのホイールと、この２つのホイールをケーシングに対して水平軸の周りで回転可能にして家具等を直線移動させ、地面上を走行させるための手段と、家具を曲線に沿った任意の方向へ容易に向けることができるようにするための、家具等に対してキャスターを任意の向きに向けるためのほぼ垂直な軸の周りでケーシングを家具に対してピボット回転可能にする手段とを有している。
【０００４】
一般には、例えば家具がその移動の最終位置に達した時に家具を動かなくすることが必要である。そのために、家具に取り付けるキャスター、特にテーブル、歩行フレーム、スーツケース等の用途では、地面上の走行を少なくとも自動的にブロックし、キャスターのブロック解除は使用者がマニュアルで行うのが好ましい。
【０００５】
この種のキャスターは例えば特許文献１（欧州特許第ＥＰ２５５６７６８号公報）、特許文献２（フランス特許第ＦＲ２８９５７０２号公報）、特許文献３（ドイツ特許第ＤＥ１０３１８３０８号公報）および特許文献４（国際公開第ＷＯ２０１２／０３５２１３号公報）記載されている。
【０００６】
キャスターは上記の手段の外にケーシングに対して２つのホイールをブロック−ブロック解除する手段（moyens de blocage-deblocage）をさらに有している。このブロック−ブロック解除手段はケーシングの方を向いたホイールの２つの面の少なくとも一つの面に形成された雌型ノッチと、ケーシングと共動運動するように取付けられたレバーと、上記雌型ノッチと噛み合う少なくとも一つの雄形ラグと、この雄型ラグおよびレバーを固定する手段と、引張りリンクと、レバーをその第1位置からその第２位置に変える指示を出す引張りリンクの第1端を上記レバーに接続する手段とを有する少なくとも一つの組立体を有し、上記レバーは、雄型ラグが雌型ノッチと全く係合しない第１位置と雄型ラグが雌型ノッチの少なくとも一つと係合する第２位置との少なくとも２つの位置を占めるようにケーシングに回動自在に取り付けられている。
【先行技術文献】
【特許文献】
【０００７】
【特許文献１】欧州特許第ＥＰ２５５６７６８号公報
【特許文献２】フランス特許第ＦＲ２８９５７０２号公報
【特許文献３】ドイツ特許第ＤＥ１０３１８３０８号公報
【特許文献４】国際公開第ＷＯ２０１２／０３５２１３号公報
【発明の概要】
【発明が解決しようとする課題】
【０００８】
上記キャスターは極めて満足に機能するが、本発明の目的は公知の上記キャスターの構造に比べてより小さい数の構成部品を有する構造でキャスターを作ることができるようにするとともに、キャスターを工業的な製造方法でより簡単に組立てできるようにしてコストをより安くすることにある。
【課題を解決するための手段】
【０００９】
本発明は、下記（１）〜（５）：
（１）ケーシング、
（２）所定の表面と接触する少なくとも２つのホイール、
（３）上記ケーシングの少なくとも一部が上記２つのホイールの間にくる状態で、上記表面に対して実質的に平行な第１軸線に沿って配置される一つのシャフト軸上に上記２つのホイールをケーシングに対して回転自在な状態で取り付けるための手段、
（４）２つのホイールのそれぞれが通る２つの面に平行な第１面中に含まれるように、第１軸線に対して実質的に直交する第２軸線に沿って配置され、上記２つの面の間に位置するように、ケーシングと共同運動するように取り付けられ、ケーシングの第１面を通ってケーシングから突き出たピボット軸、
（５）ケーシングに対して２つのホイールをロック−ロック解除する手段（moyens de blocage-deblocage）、
を有し、上記のロック−ロック解除手段が下記（ａ）〜（ｈ）：
（ａ）ケーシングの上記部分の方を向いたホイールの２つの面の少なくとも一つに形成された少なくとも一つの雌型ノッチの組立体、
（ｂ）ケーシングに運動自在に取付けられたレバーであって、このレバーは、雄型ラグが雌型ノッチと噛み合わない第１位置と、記載の雄型ラグが雌型ノッチの少なくとも一つと噛み合う第２位置の少なくとも２つの位置を占めることができるように、ケーシングに運動自在に取り付かれているレバー、
（ｃ）雌型ノッチ組立体と噛み合う少なくとも一つの雄型ラグ、
（ｄ）上記雄型ラグを上記レバーに固定する手段、
（ｅ）上記レバーを上記第２位置へ常に付勢する弾性手段、
（ｆ）引張りリンク、
（ｇ）上記レバーを上記第２位置から第１位置へ変えるための引張りリンクの第１端を前記レバーに連結する手段、
を有するロック可能なキャスターにおいて、
【００１０】
下記の（Ａ）と（Ｂ）を特徴とするキャスターを提供する：
（Ａ）上記中空部がケーシングの上記部分に作られており、この中空部は実質的に円柱形の側面と、ピボット軸が突き出ている第１表面とは反対側にあるケーシングの上記部分の第２面に形成された開口部とを有し、上記中空部は、上記シャフトが上記中空部を貫通して伸びるように、ケーシングの上記部分に形成され、
（Ｂ）上記レバーは前方表面と、後方表面と、側面とを有する引き出し部材 (tiroit) によって構成され、上記側面は、第１軸線に平行で且つ第２軸線に直角な面内に規定された中空部の側面の横断面と実質的に反対形状の横断面を有し、引き出し部材 は中空部中を上記第１位置と第２位置との間で第１軸線に直角な方向に沿って平行移動し、引き出し部材 の後方表面は中空部（の内側の面に面した面である。
【００１１】
本発明の上記以外の特徴および利点は添付図面を参照した以下の説明から明確になるであろう。しかし、本発明が下記実施例に限定されるものではない。
【図面の簡単な説明】
【００１２】
【図１】本発明のキャスターの概念的な垂直断面図
【図２】［図１］のキャスターを下から見た時のホイールの斜視図（引き出し部材 は省略してある）
【図３】引き出し部材 の斜視図
【発明を実施するための形態】
【００１３】
［図１］〜［図３］は本発明のキャスターの一つの実施例を種々の方向から見た時の図であり、［図１］は本発明のキャスターの概念的な垂直断面図であり、［図２］は［図１］のキャスターを下から見た時のホイールの斜視図であるが、［図３］に示す引き出し部材 （tiroir）は省略してある。
【００１４】
本明細書で所定の手段に「実質的に」という副詞を付けた場合、その手段は厳密にそのものを表す場合と、ほぼ同じものを表す場合との両方が含まれる。
【００１５】
本発明は、特定の操作をせずに自動的にロックされ且つ外部からのアクション（動作）を受けない限りブロック解除ができないような型のキャスターに関するものである。
【００１６】
本発明のキャスターは従来型のケーシング、例えば図示した通常のケーシング１０と、所定表面Ｓｄと接触する少なくとも２つのホイール１１、１２と、この２つのホイールがケーシングに対して回転できるようにするためのケーシングに連結されたシャフト１４に２つのホイールを取付ける手段とを有する。上記表面Ｓｄ上を走行する時にシャフト１４の第１軸線１５は上記表面Ｓｄと実質的に平行である。
【００１７】
上記シャフト１４は、本明細書ではシース（gaine）中またはシース外に配置された、あるいは、スペーサ（entretoise）の横側に配置された回転自在または固定された任意のシャフトであり、キャスターが上記表面Ｓｄ上を走行する際に２つのホイール１１、１２が回転する組立体の内部の回転軸線１５を規定する。
【００１８】
２つのホイール１１、１２はさらに、ケーシング１０の少なくとも一部１０'が２つのホイールの間に配置された状態で、ケーシング１０に回転自在に取り付けられている。
【００１９】
本発明のキャスターはさらに、第２軸線２１を規定するピボット軸２０を有している。キャスターはこのピボット軸２０を介してキャスターが取り付けられる家具、例えばテーブル、歩行フレーム等の病院設備または家具、さらにはスーツケース等の取付け部の端部に連結できる。
【００２０】
ピボット軸２0は、第２軸線２１が第１軸線１５と実質的に直交し、有利には第１軸線１５からの距離がゼロではない位置にあり、２つのホイール１１、１２の各々が通る２つの面に平行な面内で且つこれら２つの面の間に位置するようにケーシング１０に取り付けられている。
【００２１】
このピボット軸２0はケーシング１０に固定することができ、この場合にはパット等で構成できる。また、ピボット軸２0をケーシングに対して回動自在に取り付けることもできる。この場合には第２軸２１を中心にケーシング１０に対してピボット運動できるように取り付ける手段をキャスターが有している。この手段自体は公知であり、基本的に「玉軸受け」または「ニードル軸受け」を有するのが有利である。
【００２２】
キャスターはさらに、ケーシングに対して少なくとも一つのホイール、好ましくは２つのホイール１１、１２をブロックまたはブロック解除する手段（moyens de blocage-deblocage）３００を有している。本発明の特徴はこのブロック−ブロック解除手段３００が雌型ノッチ（crans femelles）３０１、３０２、３０３・・・の２つの組立体を含む点にある。この雌型ノッチは、特に［図１］に示すように、ホイール１１、１２の間にあるケーシング１０の上記部分１０'の方を向いたこれらホイールの２つの面３０５、３０６上に作られている。特に好ましい実施例では、以下で詳細に説明するように、キャスターがケーシングに対して任意の回転角度位置にある時にキャスターを確実にブロックするために、上記雌型ノッチが２つのホイール１１、１２の対向面の全周に形成されている。
【００２３】
上記ブロック−ブロック解除手段３００はさらに、ケーシング１０と共同運動するレバー３１０と、少なくとも一つの雄型ラグ（ergots males）、好ましくは２つの雄型ラグ３２１、３２２とを含む。この雄型ラグ３２１、３２２はレバー３１０に固定され且つ上記の２つの雌型ノッチの組立体の各々の雌型ノッチ３０１、３０２、３０３・・・と噛み合う（complementaires）。
【００２４】
上記レバー３１０は少なくとも２つの位置、すなわち［図１］に示す２つのラグ３２１、３２２が雌型ノッチ３０１、３０２、３０３・・・のいずれとも噛み合わない第１位置と、２つのラグ３２１、３２２が上記の２つの雌型ノッチの組立体の各々の雌型ノッチ３０１、３０２、３０３・・・と噛み合う第２位置（図示せず）との間を占めることができる。
【００２５】
ノッチに関して「雌型」および「雄型」という用語を使用するのは単に説明を容易にするためで、雄型ノッチをホイールに形成したり、雌型ノッチをレバー上または引き出し部材 ５００上に形成したり、その逆にすることもできるということは解しなければならない。
【００２６】
上記ブロック−ブロック解除手段３００はさらに、特定のアクション（動作）をしなくてもキャスターを自動的にロックできるようにするために、レバー３１０を常に第２位置へ付勢する弾性手段３３０を有している。
【００２７】
さらに、外部からのアクション（動作）によってキャスターのロックを解除するための引張りリンク３４０と、この引張りリンク３４０の第１端部３４１をレバー３１０に連結して、レバー３１０を第２位置から第１位置へ変える手段（その具体例は下記の実施例で説明する）とが設けられている。
【００２８】
本発明の一つの特徴は、本発明のキャスターがケーシング１０の上記部分１０'に形成された中空部（キャビティー）４００をさらに有している点にある。この中空部４００はほぼ円筒形の側面４０３と、ピボット軸２０が突き出ている第１表面４０６とは反対側にあるケーシング１０の上記部分１０'の第２表面４０２上に位置した開口部４０１とを有している。この中空部４００はシャフト１４がケーシング１０の上記部分１０'の一方から他方へ通過するように上記部分１０'に形成されている。
【００２９】
本発明の他の特徴は、上記レバー（その主たる機能は以下で説明する）が［図３］に示すような前方表面５０１、後方表面５０２および側面５０３を有する引き出し部材 ５００（tiroir）によって構成されている点にある。
【００３０】
上記側面５０３は第１軸線１５と平行で且つ第２軸線２１に対しては直角な面内に規定された中空部４００の上記側面４０３の横断面とはほぼ逆（complementaire）の横断面を有し、引き出し部材 ５００が中空部４００中で第１軸線１５に対して直角で且つ第２軸性２１に対して平行な方向に沿って第１位置と第２位置との間を摺動できるようになっている。引き出し部材 ５００の後方表面５０２は中空部４００の内側４０４の方を向いている面である。
【００３１】
本発明の特に好ましい他の特徴は、キャスターが引き出し部材 ５００の後方表面５０２と一体化された２つのレグ （pattes） ６０１、６０２を有する点にある（［図１］および［図３］を参照）。これらのレグ６０１、６０２は第１軸線１５および第２軸線２１に平行な２つ面内にそれぞれ位置しており、シャフト１４の直径に少なくとも等しい距離だけ互いに離れている。さらに、２つのレグ６０１、６０２は引き出し部材 ５００の後方表面５０２上に設けられていて、引き出し部材 ５００が第１位置と第２位置との間にある時にシャフト１４は２つのレグの間に位置するようになっている、（これらの位置を含む［図１］参照）
【００３２】
本発明の一つの有利な特徴は、２つのレグ６０１、６０２の少なくとも１つが他方のレグの方を向いた後退自在な湾曲部（courbire rentrante）６１１、６１２を有する点にある。この湾曲部の自由端と他方のレグの自由端との間の距離はシャフト１４の直径以下である。
【００３３】
また、［図１］および［図３］に示すように、２つのレグ６０１、６０２の各々は他方のレグの方を向いた後退自在な湾曲部６１１、６１２をそれぞれ有し、これらの２つの湾曲部の間の距離がシャフト１４の直径以下であるのが有利である。
【００３４】
上記の２つの特徴においては、キャスターの上記中空部４００にケーシングを補強する役目をする少なくとも一つのリブ６３０、６３１を有するのが特に有利である。このリブ６３０、６３１は、引き出し部材 ５００がその第２位置から第１位置へ移動する時に、２つのレグ６０１、６０２の少なくとも一つがリブとシャフト１４との間で摺動して上記リブに当接でき、リブがシャフト１４の近くに保持される、換言すれば、リブとシャフト１４との接触がほぼ常に保たれ、しかも、極めて大きな圧力ではなく、上記の２つの後退自在な湾曲部を向いた自由端の間の距離がシャフトの直径以下にするのに十分な圧力を加えるようになっている。
【００３５】
本発明の比較的に簡単で好ましい実施例では、レバー３１０を第２位置へ向かって付勢する上記弾性手段３３０が圧縮コイル、例えば［図１］に示すようなコイルバネによって構成される。この圧縮コイルは引き出し部材 ５００とシャフト１４の後方表面５０２との間に取り付けられる。
【００３６】
本発明のキャスターの構造上の最後の特徴は、引張りリンク３４０の第１端３４１を上記定義のレバー３１０に連結する手段３５０を有し、この連結手段３５０が、［図１］および［図３］から分かるように、引き出し部材 ５００から突出した引き出し部材 ５００と一体のプレート部分７００を有する点にある。このプレート部分７００はケーシング１０と対向し且つ第２軸線２１はこのプレート部分７００を通る。このプレート部分７００には第２軸線２１と実質的に同心な貫通孔７０１が形成されており、この貫通孔７０１の断面は引張りリンク３４０の断面と少なくとも同じであり、引張りリンク３４０の第１端３４１はこの貫通孔７０１を貫通している。
【００３７】
上記の連結手段３５０は貫通孔７０１の断面より大きな断面を有する肩部またはヘッド部３６０、例えばボール当接部またはその類似物を有し、この肩部３６０は、貫通孔７０１を通って挿入された引張りリンク３４０の第１端部３４１に任意の手段、例えば溶接、締め付け、接着、その他の手段で一体化される。すなわち、引張りリンク３４０の第１端部３４１はケーシング１０側とは反対側で貫通孔７０１の端部に当接している（［図１］参照）。
【００３８】
本発明のキャスターの構成要素は従来技術の同じタイプのキャスターを作るのに一般に使用されている材料で作られる。従って、本明細書の説明を簡単にするためにこれらの材料については詳細には記載しない。
【００３９】
以下、本発明のキャスターの機能にいて説明する。
本発明キャスターは例えばパイプ等の取付け組立体によって形成された歩行フレームの取付け部に通常の方法で取り付けられる。キャスターはピボット軸２０を介して上記取付け部の一端部に固定される。このピボット軸２０の内部には引張りリンク３４０が貫通している（引張りリンク３４０は必要に応じて自転車のブレーキで使用されるような鞘の内部を通すことができる）。この引張りリンク３４０の外側に出た端部は例えば歩行フレームの使用者が歩行フレームと一緒に移動する際に使用者が掴む歩行フレームの案内ハンドル側に固定される。引張りリンク３４０が外側端部は例えば自転車のハンドルに取り付けられたブレーキハンドルのような「ブレーキハンドル」に取り付けられる。
【００４０】
歩行フレームを使用しない時には、弾性手段３３０が引き出し部材 ５００に力を加えるので、引き出し部材 ５００は［図１］に示すようなその第２位置を占める。それによって２つの雄型ラグ３２１、３２２は２つの雌型ノッチ３０１、３０２、３０３・・・の組立体のそれぞれのノッチ中に収容される。従って、ホイール１１、１２が地表面Ｓｄ上を走行するのが阻止され、歩行フレームは地面面Ｓｄに対して固定されるので、歩行フレームが偶然に動くことはなく、使用者は歩行フレームに安全にもたれかかることができる。
【００４１】
一方、使用者が歩行フレームの助けを借りて移動したい場合には、使用者は自発的な意志によってブレーキハンドルに力を加えることができる。例えば、案内ハンドルとブレーキハンドルとを同時に引くことで引張りリンク３４０上に引張り力を生じさせる。それによって引き出し部材 ５００が中空部４００中を移動してその第２位置(図示せず）からその第１位置（［図１］に示す）へ移動する。換言すれば、雄型ラグ３２１、３２２が雌型ノッチから離れ、それによってホイール１１、１２は地表面Ｓｄ上を走行することができるよ。になる。
【００４２】
また、使用者が休みたくなった時には、ブレーキハンドルを開放する（離す）だけで引き出し部材 ３１０はその第２位置へ戻る。この位置では上記のようにホイール１１、１２がブロックされるので、歩行フレームが地表面Ｓｄ上を移動するのが防止される。
【００４３】
本発明キャスターは上記と同様な方法でテーブルの脚や病院設備の脚、さらにはスーツケース、その他の任意種類の家具にも取り付けることができる。
【００４４】
しかし、本発明のキャスターは明細書の最初に記載した従来文献に記載のキャスターに比べて大きな利点を有していることを強調しておく。
【００４５】
特に、本発明のキャスター構造の組立（集合）は従来技術のキャスターよりもはるかに簡単である。この利点は、引き出し部材 を中空部４００中に平行移動して取り付け、従来技術のキャスターのように回転して取り付けないことによって得られたものである。このことは、自動化が難しい操作である上記レバーの回転軸の位置決め操作が無いということを意味する。
【００４６】
本発明のキャスターを組立てる時には、引き出し部材 ５０を中空部４００中に押し込んで、２つのレグ６０１、６０２の端部をその湾曲部６１２、６２２を介してシャフト１４に当接させるだけで十分である。これらの２つのレグ６０１、６０２は弾性を有し、上記の形状を有しているので、互いに離れ、シャフトを通過した後にシャフトを閉じる役目をする。この操作の過程で圧縮コイル３６０を圧縮する。
【００４７】
上記操作が終わった後に、引張りリンク３４０の端部３４１を、［図１］に関して上記したように、プレート７００に連結し、２つのホイールをシャフト１４に取り付けるだけで十分である。これによって、２つのホイールに宣誓された雌型ノッチは引き出し部材 ５００の雄型ラグに自動的に噛み合う。
【図１】
0006423855.tif 000002
【図２】
0006423855.tif 000003
【図３】
0006423855.tif 000004